(57)【特許請求の範囲】
【請求項１】
クリップ本体の軸線方向の両側縁を内側に折り曲げた一対の折曲片の尾端側にそれぞれ係止孔が形成されるとともに、該係止孔直上の折曲片端面に該係止孔の曲率半径と同等ないしやや大きな曲率半径を有する円弧状切欠き、および該円弧状切欠きを含む内面に内向きの傾斜面が形成され、クリップ本体の尾端側に、該折曲片と直交する内向きの第１壁および第２壁が形成されたクリップと、尾端側において軸線方向に立設された一対の取付壁にそれぞれ外向きに回動支軸が突設された軸筒と、ねじりコイルばねからなり、
前記クリップの内側を上向きにして、該一対の折曲片、第１壁および第２壁で郭定されるばね配置スペースに該ねじりコイルばねを落し込み、軸筒の回動支軸をクリップの係止孔に係合し、ねじりコイルばねが、クリップの尾端部が軸筒の表面から離間するように弾発し、クリップ先端部の玉部が軸筒の表面に圧接するようにしたことを特徴とする筆記具のクリップ取付構造。
【発明の詳細な説明】
【技術分野】
【０００１】
本発明は筆記具のクリップ取付構造に関し、更にはクリップの尾端部を押すと大きく拡開する筆記具のクリップ取付構造に関する。
【背景技術】
【０００２】
従来、クリップの尾端部を押すとクリップの先端部が軸筒から離間して拡開する筆記具のクリップ取付構造として、例えば、軸筒の隆起部およびクリップの表面に一対の溝を形成し、軸筒の隆起部に形成された円弧状の凹部にクリップに形成された先端円弧状の突部を載せてこれを回動支点とするとともにＵ字状の線材からなるばねをこれらの溝にはめ込んでクリップを軸筒に支点を中心にして回動可能に取り付けたものが知られている。（特許文献１参照）
【特許文献１】特開２００６−１９２７２４号公報
【発明の開示】
【発明が解決しようとする課題】
【０００３】
前記のクリップ取付構造においては、クリップを軸筒に軸支しないので、その分、構造は簡単であるががたつきが生じやすくてクリップの保持が不安定である。また、クリップと軸筒に溝を形成するのに手間を要し、線材からなるばねをこれらの溝にはめ込む組立作業も手間を要する課題があった。
【０００４】
そこで本願発明は、構造が簡単であって組立作業も容易であり、クリップを軸筒にしっかりと回動可能に取り付けることができる筆記具のクリップ取付構造を提供することを目的とする。
【課題を解決するための手段】
【０００５】
かかる目的を達成するために、本発明の筆記具のクリップ取付構造は、クリップ本体の軸線方向の両側縁を内側に折り曲げた一対の折曲片の尾端側にそれぞれ係止孔が形成されるとともに、この係止孔直上の折曲片端面に係止孔の曲率半径と同等ないしやや大きな曲率半径を有する円弧状切欠き、および円弧状切欠きを含む内面に内向きの傾斜面が形成され、クリップ本体の尾端側に、折曲片と直交する内向きの第１壁および第２壁が形成されたクリップと、尾端側において軸線方向に立設された一対の取付壁にそれぞれ外向きに回動支軸が突設された軸筒と、ねじりコイルばねとで構成し、クリップの内側を上向きにして、一対の折曲片、第１壁および第２壁で郭定されるばね配置スペースにねじりコイルばねを落し込み、軸筒の回動支軸をクリップの係止孔に係合し、ねじりコイルばねが、クリップの尾端部が軸筒の表面から離間するように弾発し、クリップ先端部の玉部が軸筒の表面に圧接するようにする。
【発明の効果】
【０００６】
このように、クリップの係止孔に軸筒の回動支軸を係合するので、クリップががたつくことなくしっかりと軸筒に回動可能に取り付けることができ、更には、軸筒に立設された取付壁に回動支軸を設けるので、クリップの尾端側を押すとクリップ先端が大きく拡開し、パネルなどの厚い紙にも差し込むことかできる。また、クリップの内側を上向きにし、一対の折曲片、第１壁および第２壁で郭定されるばね配置スペースにねじりコイルばねを落し込み、軸筒の回動支軸を円弧状切欠きおよび傾斜面を利用してクリップの係止孔に案内して係合するのみで組み立てることができ、組立作業が容易である。更には、ばね部材としてねじりコイルばねを使用するが、ねじりコイルば通常クリップによく用いられるねは板状Ｕ字ばねに比べて線材全体でたわみを吸収するので、繰り返し作動に強く、耐久性に優れている。
【発明を実施するための最良の形態】
【０００７】
以下に図面に基づいて発明を実施するための最良の形態を説明する。図１において、軸筒１の尾端側には、回転子４１や押圧子４２などからなる周知の出没機構が内蔵されており、押圧子４２をノックするとボールペンのレフィール４３が前進して筆記可能になるが、この出没機構の詳細な説明は省略する。軸筒２尾端には筒状の尾冠２１が螺着されているが軸筒２と尾冠２１は別部品でなく、一体に成形してもよい。つまり、尾冠２１は本願においては軸筒２の一部分である。尾冠２１には、図４に示すように、軸線方向の一対の取付壁２２が形成されている。そして、取付壁２２には回転支軸２３、２３が外向きに突設されており、回転支軸２３の一端は傾斜面２３ａになっている。また、取付壁２２の尾端部には小さな抜け落ち防止壁２４が外向きに形成されている。なお、本発明のクリップが取り付けられる対象は例えばボールペン用の軸筒２に限られるものではなく、筆記具のキャップであってもよく、本願における軸筒はキャップも含む広義のものである。
【０００８】
クリップ１は合成樹脂で成形されており、図２に示すように、そのクリップ本体１１の軸線方向の両端部が内側に折り曲げられて一対の折曲片１２が形成されており、折曲片１２の尾端部には係止孔１４、１４が穿設されている。この係止孔１４直上の折曲片１２端面に係止孔１４の曲率半径と同等ないしやや大きな曲率半径を有する円弧状切欠き１２ｂが形成され、この円弧状切欠き１２ｂを含む内面に内向きの傾斜面１２ａが形成さされている。ここで、一対の取付壁２２の外面間の寸法はクリップ１の一対の折曲片１２の内面間の寸法にほぼ等しく、係止孔１４の内径は回転支軸２３の外径にほぼ等しくなっている。そして、回動支軸２３が係止孔１４に係合してクリップ１は軸筒２に回動可能に取り付けられている。なお、折曲片１２の先端には、図１に示すように、円弧状に成形されて玉部１３が形成されている。
【０００９】
クリップ本体１１の尾端は、折曲片１２と直交する方向に内向きの第１壁１５および第２壁１６が形成されており、一対の折曲片１２，１２と第１壁１５および第２壁１６で郭定される部分がばね配置スペースＳである。ばね配置スペースＳの奥底両側には断面が三角形状の位置決め部材１７が設けられており、ばね配置スペースＳに配置されたねじりコイルばね３が折曲片１２と直行する方向の位置決めを行う。
【００１０】
ねじりコイルばね３は、図３に示すように、コイル部３１の両端から作用部３２，３３がＶ字状に伸び出しており、作用部３２，３３の角度を小さくすることにより弾発力が発生する。作用部３２，３３の先端３２ａ、３３ａはコイル部３１と平行に折り曲げられている。ねじりコイルばね３は、前述のとおり、板状Ｕ字ばねに比べて線材全体でたわみを吸収するので、繰り返し作動に強く、耐久性に優れている。ばね配置スペースＳに配置されたねじりコイルばね３の作用部３２，３３がクリップ本体１１および尾冠２１の表面に圧接し、その弾発力で先端の玉部１３が軸筒２の表面に圧接する。そして、クリップ１の尾端部を押すとクリップ１の先端側が大きく拡開するパネルなどの厚い紙にも差し込むことができる。
【００１１】
このクリップを組み立てるときは、図４に示すように、先ず、クリップ本体１１の内面を上向きにしてねじりコイルばね３を、その作用部３２，３３が尾端側に向くようにしてばね配置スペースＳに落とし込む。そして、図５に示すように、取付壁２２を折曲片１２，１２の間に押し込むが、この係止孔１４直上の折曲片端面に係止孔１４の曲率半径と同等ないしやや大きな曲率半径を有する円弧状切欠き１２ｂが形成され、また、この円弧状切欠き１２ｂを含む内面に内向きの傾斜面１２ａが形成されているので、押し込む際の回動支軸２３の位置が正規の押し込み位置からクリップの軸線方向や軸線と直行する方向に少しずれていても、円弧状切欠き１２ｂおよび傾斜面１２ａに案内されて正規の位置となり回動支軸２３と係止孔１４が容易に一致する。そして、押し込みを続行すると、図６に示すように、回動支軸２３が係合孔１４に容易に嵌り込んでクリップ１を軸筒２に対して回動可能になり、非常に容易に組立作業が完了する。
【図面の簡単な説明】
【００１２】
【図１】本発明実施例の断面図である。
【図２】（Ａ）はクリップの要部縦断面図、（Ｂ）はクリップの横断面図である。
【図３】（Ａ）はねじりコイルばねの正面図、（Ｂ）は平面図である。
【図４】（Ａ）（Ｂ）は組立工程の説明図である。
【図５】（Ａ）（Ｂ）は組立工程の説明図である。
【図６】（Ａ）（Ｂ）は組立工程の説明図である。
【符号の説明】
【００１３】
１      クリップ
１１      クリップ本体
１２      折曲片
１２ａ      傾斜面
１２ｂ      円弧状切欠き
１３      玉部
１４      係止孔
１５      第１壁
１６      第２壁
１７      位置決め部材
２      軸筒
２１      尾冠
２２      取付壁
２３      回動支軸
２４      抜け落ち防止壁
３      ねじりコイルばね
３１      コイル部
３２      作用部
３３      作用部
４１      回転子
４２      押圧子
４３      レフィール
Ｓ      ばね配置スペース
【図１】
0004922909.tif 000002
【図２】
0004922909.tif 000003
【図３】
0004922909.tif 000004
【図４】
0004922909.tif 000005
【図５】
0004922909.tif 000006
【図６】
0004922909.tif 000007